(57)【特許請求の範囲】
【請求項１】
セキュリティ文書（１００）に用いられるセキュリティ要素（１０）であって、該セキュリティ要素（１０）が、
表面（Ｏ）を備えた基材（９）と、
第１、第２、第３および第４の模様角度（ｐｈｉ１，ｐｈｉ２，ｐｈｉ３，ｐｈｉ４）を有する少なくとも１つの第１、第２、第３および第４の模様（Ｍ１，Ｍ２，Ｍ３，Ｍ４）であって、各模様（Ｍ１，Ｍ２，Ｍ３，Ｍ４）が、基材（９）に設けられた浮出し構造（Ｐ１，Ｐ２，Ｐ３，Ｐ４）を有しており、該浮出し構造（Ｐ１，Ｐ２，Ｐ３，Ｐ４）は、基材表面（Ｏ）を垂直に見た場合には、前記模様（Ｍ１，Ｍ２，Ｍ３，Ｍ４）が可視となり、基材表面（Ｏ）を、設定された少なくとも一観察方向のもとで斜めに見た場合には、前記模様（Ｍ１，Ｍ２，Ｍ３，Ｍ４）のうちの少なくとも１つの模様の少なくとも一部が、前記浮出し構造（Ｐ１，Ｐ２，Ｐ３，Ｐ４）のうちの少なくとも１つの浮出し構造の少なくとも一部によって隠され、これによって、基材表面（Ｏ）を垂直にかつ斜めに交互に見た場合に、視覚的な傾け効果が生じるように形成されている、少なくとも１つの第１、第２、第３および第４の模様（Ｍ１，Ｍ２，Ｍ３，Ｍ４）と、
第１および第２の模様（Ｍ１，Ｍ２）の局所的な分布として形成された第１のセキュリティ情報（Ｉ１）であって、該第１のセキュリティ情報（Ｉ１）が、基材（９）の第１の部分領域（Ｂ１）と第２の部分領域（Ｂ２）とを有しており、第１の模様（Ｍ１）が、少なくとも第１の部分領域（Ｂ１）の一部に配置されており、第２の模様（Ｍ２）が、少なくとも第２の部分領域（Ｂ２）の一部に配置されている、第１のセキュリティ情報（Ｉ１）と、
第３および第４の模様（Ｍ３，Ｍ４）の局所的な分布として形成された第２のセキュリティ情報（Ｉ２）であって、該第２のセキュリティ情報（Ｉ２）が、基材（９）の第３の部分領域（Ｂ３）と第４の部分領域（Ｂ４）とを有しており、第３の模様（Ｍ３）が、少なくとも第３の部分領域（Ｂ３）の一部に配置されており、第４の模様（Ｍ４）が、少なくとも第４の部分領域（Ｂ４）の一部に配置されている、第２のセキュリティ情報（Ｉ２）と
を有している、セキュリティ文書に用いられるセキュリティ要素において、
第１のセキュリティ情報（Ｉ１）と第２のセキュリティ情報（Ｉ２）とが、少なくとも部分的に重なり合って配置されており、
セキュリティ要素（１０）が、さらに、
第１の模様（Ｍ１）と第２の模様（Ｍ２）とが専ら配置された第１のパターンセル（ＲＺ１）と、
第３の模様（Ｍ３）と第４の模様（Ｍ４）とが専ら配置された第２のパターンセル（ＲＺ２）と
を有しており、
第１のパターンセル（ＲＺ１）と第２のパターンセル（ＲＺ２）とが、重なり合わずに相並んで基材（９）に配置されており、
第１のパターンセル（ＲＺ１）と第２のパターンセル（ＲＺ２）とが、少なくとも基材（９）の一部において、基材（９）に対して平行な第１および第２の方向（９９，９８）で互いに交互に配置されており、
第１のパターンセル（ＲＺ１）と第２のパターンセル（ＲＺ２）とが、それぞれ第１のパターンセルタイプ（ＲＺＡ）と第２のパターンセルタイプ（ＲＺＢ）とを有しており、
第１のパターンセルタイプ（ＲＺＡ）が、第２のパターンセルタイプ（ＲＺＢ）を取り囲むように形成されていることを特徴とする、セキュリティ文書に用いられるセキュリティ要素。
【請求項２】
第１の部分領域（Ｂ１）と第３の部分領域（Ｂ３）とが、少なくとも部分的に重なり合って形成されており、かつ／または第２の部分領域（Ｂ２）と第４の部分領域（Ｂ４）とが、少なくとも部分的に重なり合って形成されている、請求項１記載のセキュリティ要素。
【請求項３】
前記模様（Ｍ１，Ｍ２，Ｍ３，Ｍ４）のうちの少なくとも１つの模様が、さらに、基材（９）に対してコントラストを成す少なくとも一種類の着色剤を含んだパターン（Ｒ１，Ｒ２，Ｒ３，Ｒ４）、特に印刷パターン（Ｒ１，Ｒ２，Ｒ３，Ｒ４）を有している、請求項１または２記載のセキュリティ要素。
【請求項４】
前記パターン（Ｒ１，Ｒ２，Ｒ３，Ｒ４）のうちの少なくとも１つのパターンが、基材（９）に対してかつ互いにコントラストを成す少なくとも二種類の着色剤を含んでいる、請求項３記載のセキュリティ要素。
【請求項５】
前記パターン（Ｒ１，Ｒ２，Ｒ３，Ｒ４）のうちの少なくとも１つのパターン、特に全てのパターン（Ｒ１，Ｒ２，Ｒ３，Ｒ４）が、各パターン（Ｒ１，Ｒ２，Ｒ３，Ｒ４）に割り当てられた浮出し構造（Ｐ１，Ｐ２，Ｐ３，Ｐ４）の側面、特に大部分で側面、特に専ら側面に配置されている、請求項３または４記載のセキュリティ要素。
【請求項６】
前記模様（Ｍ１，Ｍ２，Ｍ３，Ｍ４）のうちの少なくとも１つの模様が、少なくとも部分的に線形状を有するように形成されている、請求項１から５までのいずれか１項記載のセキュリティ要素。
【請求項７】
第１のパターンセル（ＲＺ１）と第２のパターンセル（ＲＺ２）とが、少なくとも基材（９）の一部において、基材（９）に対して平行な第１および第２の方向（９９，９８）で周期的に繰り返されて基材（９）に配置されている、請求項１から６までのいずれか１項記載のセキュリティ要素。
【請求項８】
第１および第２のパターンセル（ＲＺ１，ＲＺ２）は、第１のパターンセル（ＲＺ１）により覆われる総面積が、第２のパターンセル（ＲＺ２）により覆われる総面積の５０％〜１５０％、特に７０％〜１３０％、特に９８％〜１０２％の範囲内にあるように形成されている、請求項１から７までのいずれか１項記載のセキュリティ要素。
【請求項９】
第１、第２、第３および／または第４の模様（Ｍ１，Ｍ２，Ｍ３，Ｍ４）の模様幅が、１センチメートルあたり３０〜６０本、特に１センチメートルあたり４０〜６０本、特に１センチメートルあたり４８〜５２本に設定されている、請求項１から８までのいずれか１項記載のセキュリティ要素。
【請求項１０】
第１の模様角度（ｐｈｉ１）と第２の模様角度（ｐｈｉ２）との間の角度差、第２の模様角度（ｐｈｉ２）と第３の模様角度（ｐｈｉ３）との間の角度差および第３の模様角度（ｐｈｉ３）と第４の模様角度（ｐｈｉ４）との間の角度差が、少なくとも１５゜に設定されている、請求項１から９までのいずれか１項記載のセキュリティ要素。
【請求項１１】
第１の模様角度（ｐｈｉ１）と第２の模様角度（ｐｈｉ２）との間の角度差および第３の模様角度（ｐｈｉ３）と第４の模様角度（ｐｈｉ４）との間の角度差が、９０゜に設定されており、第２の模様角度（ｐｈｉ２）と第３の模様角度（ｐｈｉ３）との間の角度差が、４５゜に設定されている、請求項１０記載のセキュリティ要素。
【請求項１２】
セキュリティ要素（１０）が、さらに、第３のセキュリティ情報（Ｉ３）を有しており、該第３のセキュリティ情報（Ｉ３）が、少なくとも第１、第２、第３または第４の模様（Ｍ１，Ｍ２，Ｍ３，Ｍ４）、特に第１および第２の模様（Ｍ１，Ｍ２）の局所的な変化として形成されている、請求項１から１１までのいずれか１項記載のセキュリティ要素。
【請求項１３】
前記模様（Ｍ１，Ｍ２，Ｍ３，Ｍ４）の変化が、模様パラメータの変調、特に線幅および／または浮出し構造深さの変調として形成されている、請求項１２記載のセキュリティ要素。
【請求項１４】
セキュリティ要素（１０）が、さらに、第５の模様（Ｍ５）と第４のセキュリティ情報（Ｉ４）とを有しており、該第４のセキュリティ情報（Ｉ４）が、第５の模様（Ｍ５）と、第１、第２、第３および第４の模様（Ｍ１，Ｍ２，Ｍ３，Ｍ４）のグループのうちの少なくとも１つの模様（Ｍ１，Ｍ２，Ｍ３，Ｍ４）とを組み合わせた模様として形成されている、請求項１から１３までのいずれか１項記載のセキュリティ要素。
【請求項１５】
第１のパターンセル（ＲＺ１）と第２のパターンセル（ＲＺ２）との各ペアに対して、該ペアが、第１のパターンセルタイプ（ＲＺＡ）と、該第１のパターンセルタイプ（ＲＺＡ）により取り囲まれた第２のパターンセルタイプ（ＲＺＢ）とを有しており、
第１の模様（Ｍ１）と第２の模様（Ｍ２）とが、専ら第１のパターンセルタイプ（ＲＺＡ）内に配置されていて、第３の模様（Ｍ３）と第４の模様（Ｍ４）とが、専ら第２のパターンセルタイプ（ＲＺＢ）内に配置されているか、または
第１の模様（Ｍ１）と第２の模様（Ｍ２）とが、専ら第２のパターンセルタイプ（ＲＺＢ）内に配置されていて、第３の模様（Ｍ３）と第４の模様（Ｍ４）とが、専ら第１のパターンセルタイプ（ＲＺＡ）内に配置されている、請求項１から１４までのいずれか１項記載のセキュリティ要素。
【請求項１６】
請求項１から１５までのいずれか１項記載のセキュリティ要素（１０）を備えたセキュリティ文書（１００）。
【請求項１７】
請求項１から１５までのいずれか１項記載のセキュリティ要素（１０）を作製する方法において、該方法が、以下のステップ：すなわち、
第１の模様角度（ｐｈｉ１）と第１の浮出し構造（Ｐ１）とを有する第１の模様（Ｍ１）を基材（９）の第１の部分領域（Ｂ１）の少なくとも一部に施すステップと、
第２の模様角度（ｐｈｉ２）と第２の浮出し構造（Ｐ２）とを有する第２の模様（Ｍ２）を基材（９）の第２の部分領域（Ｂ２）の少なくとも一部に施すステップと、
第３の模様角度（ｐｈｉ３）と第３の浮出し構造（Ｐ３）とを有する第３の模様（Ｍ３）を基材（９）の第３の部分領域（Ｂ３）の少なくとも一部に施すステップと、
第４の模様角度（ｐｈｉ４）と第４の浮出し構造（Ｐ４）とを有する第４の模様（Ｍ４）を基材（９）の第４の部分領域（Ｂ４）の少なくとも一部に施すステップと
を有していることを特徴とする、セキュリティ要素を作製する方法。
【請求項１８】
前記方法が、さらに、以下のステップ：すなわち、
前記模様（Ｍ１，Ｍ２，Ｍ３，Ｍ４）の各々に割り当てられた第１、第２、第３および／または第４のパターン（Ｒ１，Ｒ２，Ｒ３，Ｒ４）を基材（９）に施すステップ
を有している、請求項１７記載の方法。
【請求項１９】
請求項１から１５までのいずれか１項記載のセキュリティ要素（１０）を備えた請求項１６記載のセキュリティ文書（１００）の真偽を検査する方法において、該方法が、以下のステップ：すなわち、
セキュリティ文書（１００）を第１の観察方向（Ａ）から観察して、観察された第１の強度分布を第１の原稿と比較するステップと、
セキュリティ文書（１００）を第２の観察方向（Ｂ）から観察して、観察された第２の強度分布を第２の原稿と比較するステップと、
観察された第１および第２の強度分布に基づき、セキュリティ文書（１００）を真または偽と判別するステップと
を有していることを特徴とする、セキュリティ要素を備えたセキュリティ文書の真偽を検査する方法。
【発明の詳細な説明】
【技術分野】
【０００１】
本発明は、それぞれ独立請求項の上位概念部に記載の、セキュリティ文書に用いられるセキュリティ要素、当該セキュリティ要素を備えたセキュリティ文書、当該セキュリティ要素を作製する方法および当該セキュリティ要素を備えた当該セキュリティ文書の真偽を検査する方法に関する。本発明は、特に銀行券での使用に適している。
【０００２】
背景
セキュリティ文書、たとえば銀行券、身分証明書、証書、小切手、クレジットカードおよびこれに類するものには、これらの偽造および／または改竄を防止するために、通常、セキュリティ要素が設けられる。典型的なセキュリティ要素は、再現しにくい、たとえば透かし、ピンホール、安全線、ホログラム等である。通常、セキュリティ文書には、多数のセキュリティ要素が備え付けられる。これらのセキュリティ要素は、一部では裸眼で確認することができ、一部では外的な検査装置によって、たとえば入射光、透過光または紫外光を用いた観察によって初めて確認することができる。
【０００３】
米国特許第５５８２１０３号明細書および欧州特許出願公開第１３２５８１６号明細書には、セキュリティ文書に用いられるセキュリティ要素が開示されている。このセキュリティ要素は、万線浮出しパターンを万線印刷パターンと特殊に組み合わせることによって、互いに異なる２つの観察角度のもと、互いに異なる２つの情報を明示するようになっている。先行技術に基づき公知のセキュリティ要素は、垂直に見た場合には、たとえば一様に灰色の面として出現するのに対して、第１の方向から斜めに見た場合には、明るい背景上に灰色の線が出現する。第２の方向から斜めに見た場合には、暗い背景上に灰色の線が出現する。
【０００４】
開示されたセキュリティ要素の欠点は、その比較的少ない情報量である。
【０００５】
発明の開示
したがって、本発明の課題は、上述のようなセキュリティ要素を改良して、セキュリティ要素が、より高い情報量を有しているようにすることである。更なる課題は、当該セキュリティ要素を備えたセキュリティ文書、当該セキュリティ要素を作製する方法および当該セキュリティ要素を備えた当該セキュリティ文書の真偽を検査する方法を提供することである。
【０００６】
これらの課題は、それぞれ独立請求項の特徴を備えたセキュリティ要素、セキュリティ文書、当該セキュリティ要素を作製する方法および当該セキュリティ要素を備えた当該セキュリティ文書の真偽を検査する方法によって解決される。
【０００７】
これに相応して、本発明に係るセキュリティ要素は、表面を備えた基材、たとえばシートまたは紙を有している。この基材には、第１、第２、第３および第４の模様角度を有する少なくとも１つの第１、第２、第３および第４の模様が配置されている。「模様角度」という概念は、各模様の、基材の表面に対して平行な位置決めまたは方向付けに関連している。模様角度は、互いに異なっている。
【０００８】
さらに、第１、第２、第３および第４の模様は、基材の、たとえば空浮出しによって製作することができるそれぞれ１つの浮出し構造を有している。この浮出し構造は、基材表面を垂直に見た場合には、模様が可視となり、基材表面を、設定された少なくとも一観察方向のもとで斜めに見た場合には、複数の模様のうちの少なくとも１つの模様の少なくとも一部が、複数の浮出し構造のうちの少なくとも１つの浮出し構造の少なくとも一部によって隠され、これによって、基材表面を垂直にかつ斜めに交互に見た場合に、視覚的な傾け効果が生じるように形成されている。
【０００９】
第１のセキュリティ情報は、第１および第２の模様の局所的な分布として形成されている。この分布もしくは第１のセキュリティ情報は、基材の第１の部分領域および第２の部分領域、たとえば記号以外の第１の部分領域および記号内部の第２の部分領域を有している。第１の模様もしくは第２の模様は、少なくとも第１もしくは第２の部分領域のそれぞれ一部に配置されている。したがって、第１のセキュリティ情報を、第１および第２の部分領域の、第１および第２の模様が配置されている部分によってコード化することができる。
【００１０】
第２のセキュリティ情報は、第３および第４の模様の局所的な分布として形成されている。この分布もしくは第２のセキュリティ情報は、基材の第３および第４の部分領域、たとえば数字以外の第３の部分領域および数字内部の第４の部分領域を有している。第３の模様もしくは第４の模様は、少なくとも第３もしくは第４の部分領域のそれぞれ一部に配置されている。したがって、第２のセキュリティ情報を、第３および第４の部分領域の、第３および第４の模様が配置されている部分によってコード化することができる。
【００１１】
本発明によれば、第１のセキュリティ情報と第２のセキュリティ情報とが、少なくとも部分的に重なり合っている。言い換えると、第１の部分領域と第３の部分領域とが、少なくとも部分的に重なり合って形成されていてよく、かつ／または第２の部分領域と第４の部分領域とが、少なくとも部分的に重なり合って形成されていてよい。したがって、重ね合わせによって、セキュリティ要素の情報量を増やすことができるので、セキュリティ要素の改善された安全性が付与されている。
【００１２】
好適な態様では、複数の模様のうちの少なくとも１つの模様が、さらに、基材に対してコントラストを成す少なくとも一種類の着色剤を含んだパターン、特に印刷パターンを有している。したがって、１つ以上の模様のコントラストレンジを高めることができる。これによって、読取りがより容易になる。１つ以上のパターンは、基材に対してかつ互いにコントラストを成す一種類以上の着色剤を含んでいてもよい。したがって、パターンの固有の構成が可能となる。これによって、安全性がさらに高められる。また、たとえば、蛍光着色剤またはリン光着色剤および／または少なくとも所定のスペクトル範囲内で反射するコーティングを使用することも可能である。これによって、安全性がさらに高められる。
【００１３】
好適には、複数のパターンのうちの少なくとも１つのパターンと、同模様に割り当てられた浮出し構造とが、少なくとも部分的に互いに平行に延びている。これによって、視覚的な傾け効果のより簡単な実現が可能となる。
【００１４】
別の好適な態様では、複数のパターンのうちの少なくとも１つのパターン、特に全てのパターンが、模様の、各パターンに割り当てられた浮出し構造の側面に配置されている。特にパターンは大部分において、模様の、各パターンに割り当てられた浮出し構造の側面に配置されているかまたは特にパターンは専ら、模様の、各パターンに割り当てられた浮出し構造の側面に配置されてさえいる。これによって、視覚的な傾け効果のより特殊な態様が得られ、ひいては、安全性が改善される。たとえば、複数のパターンと複数の浮出し構造とを備えた模様は、複数のパターンのそれぞれ１つが、各模様角度に関連した規定の観察方向において（たとえば、模様角度に対して平行に基材表面上に存在する射影を有する幾つかの観察方向に対して）、（たとえば「観察高さ角度」、すなわち、観察方向の極角に応じてグレーからダークグレーへとまたはグレーからライトグレーへと変化する）別の模様と視覚的に異なって（たとえば不変のグレートーンで）見えるように形成されている。このためには、上述したように、たとえば複数のパターンのうちの少なくとも１つのパターン（特に全てのパターン）が、各パターンに割り当てられた浮出し構造の側面に配置されていてよい。さらに有利には、複数のパターンのうちの少なくとも１つのパターンを大部分でかつ／または専ら、各模様に割り当てられた浮出し構造の側面に配置することによって、種々異なる多数の構成可能性が得られる。具体的な例については、欧州特許出願公開第１３２５８１６号明細書のうちの図１２、図１５、図１６、図１７、図１９、図２０、図２１および図２９ならびに対応する明細書部分に示されている。なお、同明細書は、参照により本願に取り込まれたものとする。本発明によれば、これによって、観察方向に大幅に関連したセキュリティ特徴が獲得可能となる。
【００１５】
好適には、複数の模様のうちの少なくとも１つの模様が、少なくとも部分的に線形状を有している。これによって、より容易に読み取ることができる視覚的な傾け効果が得られる。
【００１６】
別の好適な態様では、セキュリティ要素が、さらに、第１のパターンセルを有している。この第１のパターンセルには、好ましくは、専らこの第１のパターンセルにだけ、第１の模様と第２の模様とが配置されている。したがって、第１のパターンセルへの第１の両模様の割当てが達成可能となる。
【００１７】
別の好適な態様では、セキュリティ要素が、さらに、第２のパターンセルを有している。この第２のパターンセルには、好ましくは、専らこの第２のパターンセルにだけ、第３の模様と第４の模様とが配置されている。したがって、第２のパターンセルへの第３および第４の模様の割当てが達成可能となる。
【００１８】
第１のパターンセルと第２のパターンセルとは、好ましくは重なり合わずに相並んで基材に配置されている。したがって、第１のパターンセルと第２のパターンセルとを重ね合わせずに相並べて基材に配置し、ひいては、第１のセキュリティ情報と第２のセキュリティ情報とを各模様（すなわち、第１のセキュリティ情報に対する第１および第２の模様ならびに第２のセキュリティ情報に対する第３および第４の模様）によってセキュリティ要素に配置する可能性が得られる。
【００１９】
さらに、第１のパターンセルと第２のパターンセルとが、好適には、それぞれ全て同形に形成されているわけではない。たとえば、第１のパターンセルのグループと第２のパターンセルのグループとが、それぞれ異なって形成された第１および第２のパターンセルタイプを有しており、両パターンセルタイプは、好ましくは、第１のパターンセルタイプが第２のパターンセルタイプを取り囲む、すなわち、第２のパターンセルタイプを第１のパターンセルタイプ内に配置することができるように形成されている。したがって、パターンセルによる面積の有利な被覆が達成される。
【００２０】
好ましくは、第１および第２のパターンセルは、第１のパターンセルにより覆われる総面積が、第２のパターンセルにより覆われる総面積の５０〜１５０％、特に７０〜１３０％、特に９８〜１０２％の範囲内にあるように形成されている。したがって、両パターンセルタイプによる面積の、よりむらのない被覆が達成される。
【００２１】
好ましくは、第１のパターンセルと第２のパターンセルとが、少なくとも基材に対して平行な第１の方向（特に基材に対して平行な第１および第２の方向で）互いに交互にかつ／または周期的に繰り返されてまたは非周期的に繰り返されて基材の少なくとも一部に配置されている。したがって、第１のパターンセルおよび第２のパターンセルひいては第１のセキュリティ情報および第２のセキュリティ情報を基材全体にわたって分配して当該基材に配置する可能性が得られる。この場合、第１／第２もしくは第３／第４の部分領域が、第１のセキュリティ特徴もしくは第２のセキュリティ特徴に関連して形成されている必要はない。
【００２２】
好適な態様では、セキュリティ要素が、さらに、第３のセキュリティ情報を有しており、この第３のセキュリティ情報が、少なくとも第１、第２、第３または第４の模様、特に第１および第２の模様の局所的な変化として形成されている。模様のこのような局所的な変化は、好ましくは、模様パラメータの変調、特に線幅および／または浮出し構造深さの変調によって形成されている。したがって、たとえば、第３のセキュリティ情報として（グレースケール画像の）グレースケール情報を描出することが可能となる。このグレースケール情報は、第１および第２のセキュリティ情報を隠すために用いられるので、最初の一目では、より認識しにくくなっている。
【００２３】
別の好適な態様では、セキュリティ要素が、さらに、第５の模様と第４のセキュリティ情報とを有している。この第４のセキュリティ情報は、第５の模様と、第１、第２、第３および第４の模様のグループのうちの少なくとも１つの模様とを組み合わせた模様として形成されている。たとえば、第５の模様は、第１〜第４の模様と、浮出し構造および選択的なパターンを含めた第５の模様とを重畳させた模様として形成されていてよく、これによって、適切な観察方向において、第５の模様と、最初の４つの模様のうちの１つの模様との間にモアレ効果が生じる。したがって、セキュリティ特徴の安全性がさらに高められる。
【００２４】
別の好適な態様では、基材が、少なくとも一部透明に形成されており、複数の模様のうちの少なくとも１つの模様が、第１の基材表面に配置されているのに対して、残りの模様のうちの少なくとも１つの模様が、第１の表面と反対の側に位置する第２の基材表面に配置されている。したがって、セキュリティ特徴の安全性をさらに高める透明効果が得られる。
【００２５】
本発明の更なる態様として、上述したようなセキュリティ特徴を備えたセキュリティ文書が開示されている。このようなセキュリティ文書、たとえば銀行券には、公知のセキュリティ文書に比べて高められた偽造防止手段が施されている。なぜならば、セキュリティ特徴が、より大きな数の情報を含んでいるからである。
【００２６】
本発明の更なる態様として、上述したセキュリティ要素を作製する方法が開示されている。この方法は、以下のステップ：すなわち、
第１の浮出し構造を含めて第１の模様角度を有する第１の模様を基材の第１の部分領域の少なくとも一部に施すステップと、
第２の浮出し構造を含めて第２の模様角度を有する第２の模様を基材の第２の部分領域の少なくとも一部に施すステップと、
第３の浮出し構造を含めて第３の模様角度を有する第３の模様を基材の第３の部分領域の少なくとも一部に施すステップと、
第４の浮出し構造を含めて第４の模様角度を有する第４の模様を基材の第４の部分領域の少なくとも一部に施すステップと
を有している。
【００２７】
好適には、作製法が、更なるステップ：すなわち、
複数の模様の各々に割り当てられた第１、第２、第３および／または第４のパターン、特に万線パターンを基材に施すステップ
を有している。
【００２８】
上述した模様／パターン施与ステップは、たとえば、シート基材の空浮出し、浮出しおよび、選択的には、紙基材またはプラスチック基材の白黒印刷またはカラー印刷、スクリーン印刷要素、ＯＶＩ（登録商標）、ＯＶＭＩ（登録商標）、Ｉｒｉｏｄｉｎ（登録商標）等のオーバプリントを含んでいる。
【００２９】
したがって、本発明に係るセキュリティ特徴をより簡単に作製することができる。
【００３０】
本発明の更なる態様として、上述したセキュリティ要素を備えた上述したセキュリティ文書の真偽を検査する方法が開示されている。この方法は、以下のステップ：すなわち、
セキュリティ文書を第１の観察方向から観察して、観察された第１の強度分布を第１の原稿と比較するステップ（たとえば暗い背景上で明るい期待される強度分布「ＯＦＳ」）と、
セキュリティ文書を第２の観察方向から観察して、観察された第２の強度分布を第２の原稿と比較するステップ（たとえば暗い背景上で明るい期待される強度分布「７００」）と、
観察された第１および第２の強度分布に基づき、セキュリティ文書を真または偽と判別するステップと
を有している。
【００３１】
好適には、真偽を検査する方法が、更なるステップ：すなわち、
セキュリティ文書を第３の観察方向から観察して、観察された第３の強度分布を第３の原稿と比較するステップ（たとえば明るい背景上で暗い期待される強度分布「ＯＦＳ」）と、
セキュリティ文書を第４の観察方向から観察して、観察された第４の強度分布を第４の原稿と比較するステップ（たとえば明るい背景上で暗い期待される強度分布「７００」）と、
観察された第３および第４の強度分布に基づき、セキュリティ文書を真または偽と判別するステップと
を有している。
【００３２】
ここで念のために付言しておくと、第１〜第４の模様のほかに、更なる模様がセキュリティ要素に配置されてよく、これによって、観察方向に関連した更なるセキュリティ情報が配置される。これによって、情報量をさらに大幅に増やすことができる。
【００３３】
上述した態様は、物の請求項および方法の請求項に同様に適用される。詳細には説明したくないが、当業者には明らかであるように、それぞれ異なる態様の特徴の組合せに基づき、相乗効果を奏することができる。
【００３４】
本発明の別の有利な態様は、従属請求項および図面に基づき以下に説明する実施の形態から明らかである。
【図面の簡単な説明】
【００３５】
【図１】基材９と基材表面Ｏとを有する本発明に係るセキュリティ特徴１０を備えた本発明に係るセキュリティ文書１００を示す図である。
【図２】第１の部分領域Ｂ１と第２の部分領域Ｂ２とを備えた第１のセキュリティ情報Ｉ１を示す図である。
【図３】第１の模様Ｍ１、第１の万線パターンＲ１および第１の浮出し構造Ｐ１を備えた第１の部分領域Ｂ１と、第２の模様Ｍ２、第２の万線パターンＲ２および第２の浮出し構造Ｐ２を備えた第２の部分領域Ｂ２とを有する、図２に示した第１のセキュリティ情報Ｉ１を示す図である。
【図４】第３の部分領域Ｂ３と第４の部分領域Ｂ４とを備えた第２のセキュリティ情報Ｉ２を示す図である。
【図５】第３の模様Ｍ３、第３の万線パターンＲ３および第３の浮出し構造Ｐ３を備えた第３の部分領域Ｂ３と、第４の模様Ｍ４、第４の万線パターンＲ４および第４の浮出し構造Ｐ４を備えた第４の部分領域Ｂ４とを有する、図４に示した第２のセキュリティ情報Ｉ２を示す図である。
【図６】基材表面Ｏに第１の方向９９および第２の方法９８で交互に配置された正方形のパターンセルＲＺ１，ＲＺ２と、万線パターンＲ１，Ｒ２，Ｒ３，Ｒ４を備えた領域Ｂ１，Ｂ２，Ｂ３，Ｂ４の部分とを示す図である。
【図７】部分領域Ｂ１／Ｂ３に設けられた、正方形と異なる形状のパターンセルＲＺ１，ＲＺ２を示す図であり、パターンセルＲＺ１，ＲＺ２は、それぞれ第１のパターンセルタイプＲＺＡと第２のパターンセルタイプＲＺＢとを有しており、第１のパターンセルタイプＲＺＡは、第２のパターンセルタイプＲＺＢを取り囲むように形成されている。
【図８】図７に示したパターンセルＲＺ１，ＲＺ２に組み合わせた領域Ｂ１，Ｂ２，Ｂ３，Ｂ４を示す図であり、模様Ｍ１〜Ｍ４は、パターンセルＲＺ１，ＲＺ２および部分領域Ｂ１〜Ｂ４に応じて配置されている。
【図９】垂直に見たセキュリティ特徴１０の基材９の表面Ｏと、概略的に４つの異なる斜めの観察方向Ａ，Ｂ，Ｃ，Ｄとを示す図である。
【図１０】観察方向Ａから斜めに見た、図９に示したセキュリティ特徴の基材９の表面Ｏを示す図である。
【図１１】観察方向Ｂから斜めに見た、図９に示したセキュリティ特徴の基材９の表面Ｏを示す図である。
【図１２】観察方向Ｃから斜めに見た、図９に示したセキュリティ特徴の基材９の表面Ｏを示す図である。
【図１３】観察方向Ｄから斜めに見た、図９に示したセキュリティ特徴の基材９の表面Ｏを示す図である。
【図１４】第１のパターンＲ１の模様パラメータの局所的な変化を伴った第３のセキュリティ情報Ｉ３を示す図である。
【図１５】第２のパターンＲ２の模様パラメータの局所的な変化を伴った、図１４に示した第３のセキュリティ情報Ｉ３を示す図である。
【００３６】
発明を実施するための形態
図１には、本発明に係るセキュリティ特徴１０を備えた本発明に係るセキュリティ文書１００（本実施の形態では銀行券）が示してある。セキュリティ特徴１０は、基材表面Ｏを備えた基材９と、銀行券「７００」スイスフランの、概略的に印刷された数値とを有している。
【００３７】
図２には、第１のセキュリティ情報Ｉ１（文字列「ｏｆｓ」）が示してある。この第１のセキュリティ情報Ｉ１は、文字列以外の第１の部分領域Ｂ１（白色の面）と、文字内部の第２の部分領域Ｂ２（黒色の面）とを備えている。
【００３８】
図３には、図２に示した第１のセキュリティ情報Ｉ１が示してある。図３では、基材９の第１の部分領域Ｂ１が、基材表面Ｏに印刷された万線パターンＲ１（図３を普通に見た場合には垂直なパターン）と、基材９の浮出し構造Ｐ１（図３の下側の部分に断面図として示した）とを有する第１の模様Ｍ１を備えている。浮出し構造Ｐ１は、浮出し線の内側のかつ浮出し線間の可変の浮出し深さを有している（共に図示せず）。模様Ｍ１は、１センチメートルあたり３５本のパターン幅と、パターン角度ｐｈｉ１＝０°（基材９の垂直な辺に対して反時計回り方向に測定した）とを有していて、８０００ｄｐｉの解像度を備えて基材９に印刷されている。また、これと異なる解像度も可能である。基材９の第２の部分領域Ｂ２は、基材表面Ｏに印刷された万線パターンＲ２（図３を普通に見た場合には水平なパターン）と、基材９の浮出し構造Ｐ２（図示せず）とを有する第２の模様Ｍ２を備えている。この模様Ｍ２は、１センチメートルあたり５０本のパターン幅と、パターン角度ｐｈｉ２＝９０°（基材９の垂直な辺に対して反時計回り方向に測定した）とを有している。
【００３９】
図４には、第２のセキュリティ情報Ｉ２（文字列「７００」）が示してある。この第２のセキュリティ情報Ｉ２は、文字列以外の第３の部分領域Ｂ３（白色の面）と、文字内部の第４の部分領域Ｂ４（黒色の面）とを備えている。
【００４０】
図５には、図４に示した第２のセキュリティ情報Ｉ２が示してある。図５では、基材９の第３の部分領域Ｂ３が、基材表面Ｏに印刷された万線パターンＲ３（図５を普通に見た場合には斜め右下に向けられている）と、基材９の浮出し構造Ｐ３（図示せず）とを有する第３の模様Ｍ３を備えている。この模様Ｍ３は、１センチメートルあたり５０本のパターン幅と、パターン角度ｐｈｉ３＝４５°（基材９の垂直な辺に対して反時計回り方向に測定した）とを有している。基材９の第４の部分領域Ｂ４は、基材表面Ｏに印刷された万線パターンＲ４（図５を普通に見た場合には斜め左下に向けられている）と、基材９の浮出し構造Ｐ４（図示せず）とを有する第４の模様Ｍ４を備えている。この模様Ｍ４は、１センチメートルあたり５０本のパターン幅と、パターン角度ｐｈｉ４＝１３５°（基材９の垂直な辺に対して反時計回り方向に測定した）とを有している。
【００４１】
図６には、基材９の基材表面Ｏに第１の方向９９および第２の方向９８で本発明により交互に配置された正方形の複数のパターンセルＲＺ１，ＲＺ２が示してある。図２〜図５に示した領域Ｂ１，Ｂ３ならびに領域Ｂ２，Ｂ４が部分的に重なり合っている。本発明に係るセキュリティ特徴１０を説明するために、８つのパターンセルＲＺ１，ＲＺ２が図示してある。図６には、パターンセルＲＺ１，ＲＺ２が、重ね合わされずに相並んで基材９に配置されていて、第１の模様Ｍ１および第２の模様Ｍ２（ならびに対応した万線パターンＲ１，Ｒ２および浮出し構造Ｐ１，Ｐ２）が、専ら第１のパターンセルＲＺ１内にだけ配置されていることが示してある。第３の模様Ｍ３および第４の模様Ｍ４（ならびに対応した万線パターンＲ３，Ｒ４および浮出し構造Ｐ３，Ｐ４）は、専ら第２のパターンセルＲＺ２内にだけ配置されている。
【００４２】
図７には、部分領域Ｂ１／Ｂ３（すなわち、文字列以外）に設けられた、正方形と異なる形状の第１のパターンセルＲＺ１と第２のパターンセルＲＺ２とが示してある。両パターンセルＲＺ１，ＲＺ２は、それぞれ第１のパターンセルタイプＲＺＡと第２のパターンセルタイプＲＺＢとを有している。第１のパターンセルタイプＲＺＡは、第２のパターンセルタイプＲＺＢを取り囲むように形成されている。図７では、パターンセルタイプＲＺＡ，ＲＺＢが、パターンセルの形状に関連しているにすぎず、その「容量」、すなわち、パターンセルへのパターンセルタイプＲＺＡ，ＲＺＢの所属性と取り違えられてはならない。パターンセルＲＺ１，ＲＺ２は部分領域Ｂ１／Ｂ３に形成されているので、パターンセルＲＺ１，ＲＺ２は模様Ｍ１；Ｍ３を備えて形成されている。パターンセルＲＺ１，ＲＺ２の輪郭線は印刷されず、図７では、図面をより見やすくするために用いられているにすぎない。
【００４３】
図８は、図６に示したパターンセルの本発明による分割と、図７に示したパターンセルとの組合せと解釈することができ、模様Ｍ１，Ｍ２，Ｍ３，Ｍ４と、万線パターンＲ１，Ｒ２，Ｒ３，Ｒ４と、浮出し構造Ｐ１，Ｐ２，Ｐ３，Ｐ４とを備えた領域Ｂ１，Ｂ２，Ｂ３，Ｂ４を示している。図８にも、上述したように、第１の部分領域Ｂ１に設けられた両パターンセルタイプＲＺＡ，ＲＺＢの第１のパターンセルＲＺ１に模様Ｍ１が配置されていて、第２の部分領域Ｂ２に設けられた両パターンセルタイプＲＺＡ，ＲＺＢの第１のパターンセルＲＺ１に模様Ｍ２が配置されていることが示してある。第３の部分領域Ｂ３に設けられた両パターンセルタイプＲＺＡ，ＲＺＢの第２のパターンセルＲＺ２には、模様Ｍ３が配置されていて、第４の部分領域Ｂ４に設けられた両パターンセルタイプＲＺＡ，ＲＺＢの第２のパターンセルＲＺ２には、模様Ｍ４が配置されている。模様Ｍ１〜Ｍ４の配置には、それぞれの浮出し構造Ｐ１〜Ｐ４および万線パターンＲ１〜Ｒ４の配置が意味的に含まれている。部分領域Ｂ１〜Ｂ４は、セキュリティ情報Ｉ１の文字「ｆ」の輪郭点線と、セキュリティ情報Ｉ２の数字「０」の輪郭点線とによって明らかとなる。
【００４４】
図９には、（上方から）垂直に見た本発明に係るセキュリティ特徴１０の基材９の表面Ｏが示してある。図９には、第３のセキュリティ情報Ｉ３（背景画像におけるグレー値分布）を認めることができる。さらに、４つの異なる斜めの観察方向Ａ，Ｂ，Ｃ，Ｄが概略的に示してある。これらの観察方向Ａ〜Ｄの、表面Ｏから測定した極角は、たとえば５°〜３５°であるものの、浮出し構造に関連して、これと異なる数値であってもよい。第１のセキュリティ情報Ｉ１および第２のセキュリティ情報Ｉ２も同じく概略的に図示してあるものの、垂直に見た場合には観察することはできない。ここで、念のために付言しておくと、これまで論じてきた模様Ｍ１，Ｍ２，Ｍ３，Ｍ４の方位角ｐｈｉ１，ｐｈｉ２，ｐｈｉ３，ｐｈｉ４は、この実施の形態における観察方向Ａ，Ｂ，Ｃ，Ｄに対応していない。さらに、セキュリティ情報Ｉ１，Ｉ２の白色の縁取りは、明瞭性のために図示したにすぎず、当然ながら、一緒に印刷されない。
【００４５】
図１０には、観察方向Ａから斜めに観察した、図９に示したセキュリティ特徴１０の基材９の表面Ｏが示してある。図１０には、第１のセキュリティ特徴「ＯＦＳ」を、相対的に暗い背景上の相対的に明るい領域として明瞭に認めることができる。
【００４６】
図１１には、観察方向Ｂから斜めに観察した、図９に示したセキュリティ特徴１０の基材９の表面Ｏが示してある。図１１には、第２のセキュリティ特徴「７００」を、相対的に明るい背景上の相対的に暗い領域として明瞭に認めることができる。
【００４７】
図１２には、観察方向Ｃから斜めに観察した、図９に示したセキュリティ特徴１０の基材９の表面Ｏが示してある。図１２には、再度、第１のセキュリティ特徴「ＯＦＳ」を、相対的に明るい背景上の相対的に暗い領域として明瞭に認めることができる。
【００４８】
図１３には、観察方向Ｄから斜めに観察した、図９に示したセキュリティ特徴１０の基材９の表面Ｏが示してある。図１３には、再度、第２のセキュリティ特徴「７００」を、相対的に暗い背景上の相対的に明るい領域として明瞭に認めることができる。
【００４９】
セキュリティ情報の色変化は、浮出し構造の側面への万線パターンの配置によって達成される。
【００５０】
図１４には、模様パラメータの局所的な変化を伴った第３のセキュリティ情報Ｉ３（文字列「ＣＨ」）が示してある。図１４では、文字内部の垂直な万線パターンＲ１の線太さが増大させられている。
【００５１】
図１５には、模様パラメータの局所的な変化を伴った、図１４に示した第３のセキュリティ情報Ｉ３が示してある。図１５では、文字内部の水平な万線パターンＲ２の線太さが増大させられている。
【００５２】
したがって、第３のセキュリティ情報は、第１のセキュリティ情報および第２のセキュリティ情報から独立して別個に配置することができ、最初の両セキュリティ情報を隠すために用いられる。
【００５３】
再度ここで念のために付言しておくと、パターンセル領域の、場合により図示してある輪郭は、明瞭性の理由から示したにすぎず、セキュリティ特徴には印刷されない。
【００５４】
本願には、本発明の複数の好適な実施の形態が記載してあるものの、本発明はこれに限定されるものではなく、以下の複数の請求項の範囲内で別の形式でも実施することができることを明示しておく。この場合、当業者に明らかであるように、個々の実施の形態の上述した特徴は、これに限定されるものではなく、本発明の思想を逸脱することなしに、任意に組み合わせることができる。
【図１】
0006026010.tif 000002
【図２】
0006026010.tif 000003
【図３】
0006026010.tif 000004
【図４】
0006026010.tif 000005
【図５】
0006026010.tif 000006
【図６】
0006026010.tif 000007
【図７】
0006026010.tif 000008
【図８】
0006026010.tif 000009
【図９】
0006026010.tif 000010
【図１０】
0006026010.tif 000011
【図１１】
0006026010.tif 000012
【図１２】
0006026010.tif 000013
【図１３】
0006026010.tif 000014
【図１４】
0006026010.tif 000015
【図１５】
0006026010.tif 000016